【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
二次電池と、前記二次電池に印加されるべき充電電圧を制御する制御部とを備えるパック電池で前記充電電圧を変更する充電電圧変更方法において、
変更後の第２充電電圧と変更前の第１充電電圧とを比較判定し、
前記第２充電電圧が前記第１充電電圧より低い場合、前記二次電池の電池電圧を検出し、
前記電池電圧と前記第２充電電圧とを比較判定し、
前記電池電圧が前記第２充電電圧より低い場合、前記二次電池に印加されるべき充電電圧を前記第２充電電圧に下げること
を特徴とする二次電池の充電電圧変更方法。
【請求項２】
前記電池電圧が前記第２充電電圧より所定電圧以上低いか否かを判定し、
前記電池電圧が前記第２充電電圧より低い状態が所定時間以上継続した場合、前記二次電池に印加されるべき充電電圧を前記第２充電電圧に下げること
を特徴とする請求項１に記載の二次電池の充電電圧変更方法。
【請求項３】
前記所定電圧は、０．１Ｖ以上であることを特徴とする請求項２に記載の二次電池の充電電圧変更方法。
【請求項４】
二次電池と、前記二次電池に印加されるべき充電電圧を制御する制御部とを備えるパック電池において、
前記充電電圧の変更設定を受け付ける受付手段と、
前記受付手段が受け付けた変更後の第２充電電圧と変更前の第１充電電圧とを比較判定する第１判定手段と、
前記第１判定手段が、前記第２充電電圧が前記第１充電電圧より低いと判定した場合、前記二次電池の電池電圧を検出する検出手段と、
前記電池電圧と前記第２充電電圧とを比較判定する第２判定手段と、
前記第２判定手段が、前記電池電圧が前記第２充電電圧より低いと判定した場合、前記二次電池に印加されるべき充電電圧を前記第２充電電圧に下げる電圧低下手段と
を備えることを特徴とするパック電池。
【請求項５】
前記第２判定手段は、前記電池電圧が前記第２充電電圧より所定電圧以上低いか否かを判定し、
前記第２判定手段が、前記電池電圧が前記第２充電電圧より低いと判定する状態が所定時間以上継続した場合、前記電圧低下手段が前記二次電池に印加されるべき充電電圧を前記第２充電電圧に下げること
を特徴とする請求項４に記載のパック電池。
【請求項６】
前記所定電圧は、０．１Ｖ以上であることを特徴とする請求項５に記載のパック電池。
【手続補正２】
【補正対象書類名】明細書
【補正対象項目名】０００８
【補正方法】変更
【補正の内容】
【０００８】
本発明に係る二次電池の充電電圧変更方法は、二次電池と、前記二次電池に印加されるべき充電電圧を制御する制御部とを備えるパック電池で前記充電電圧を変更する充電電圧変更方法において、変更後の第２充電電圧と変更前の第１充電電圧とを比較判定し、前記第２充電電圧が前記第１充電電圧より低い場合、前記二次電池の電池電圧を検出し、前記電池電圧と前記第２充電電圧とを比較判定し、前記電池電圧が前記第２充電電圧より低い場合、前記二次電池に印加されるべき充電電圧を前記第２充電電圧に下げることを特徴とする。
【手続補正３】
【補正対象書類名】明細書
【補正対象項目名】０００９
【補正方法】変更
【補正の内容】
【０００９】
本発明に係る二次電池の充電電圧変更方法は、前記電池電圧が前記第２充電電圧より所定電圧以上低いか否かを判定し、前記電池電圧が前記第２充電電圧より低い状態が所定時間以上継続した場合、前記二次電池に印加されるべき充電電圧を前記第２充電電圧に下げることを特徴とする。
【手続補正４】
【補正対象書類名】明細書
【補正対象項目名】００１０
【補正方法】変更
【補正の内容】
【００１０】
本発明に係る二次電池の充電電圧変更方法は、前記所定電圧は、０．１Ｖ以上であることを特徴とする。
【手続補正５】
【補正対象書類名】明細書
【補正対象項目名】００１１
【補正方法】変更
【補正の内容】
【００１１】
本発明に係るパック電池は、二次電池と、前記二次電池に印加されるべき充電電圧を制御する制御部とを備えるパック電池において、前記充電電圧の変更設定を受け付ける受付手段と、前記受付手段が受け付けた変更後の第２充電電圧と変更前の第１充電電圧とを比較判定する第１判定手段と、前記第１判定手段が、前記第２充電電圧が前記第１充電電圧より低いと判定した場合、前記二次電池の電池電圧を検出する検出手段と、前記電池電圧と前記第２充電電圧とを比較判定する第２判定手段と、前記第２判定手段が、前記電池電圧が前記第２充電電圧より低いと判定した場合、前記二次電池に印加されるべき充電電圧を前記第２充電電圧に下げる電圧低下手段とを備えることを特徴とする。
【手続補正６】
【補正対象書類名】明細書
【補正対象項目名】００１２
【補正方法】変更
【補正の内容】
【００１２】
本発明に係るパック電池は、前記第２判定手段は、前記電池電圧が前記第２充電電圧より所定電圧以上低いか否かを判定し、前記第２判定手段が、前記電池電圧が前記第２充電電圧より低いと判定する状態が所定時間以上継続した場合、前記電圧低下手段が前記二次電池に印加されるべき充電電圧を前記第２充電電圧に下げることを特徴とする。
【手続補正７】
【補正対象書類名】明細書
【補正対象項目名】００１３
【補正方法】変更
【補正の内容】
【００１３】
本発明に係るパック電池は、前記所定電圧は、０．１Ｖ以上であることを特徴とする。
【手続補正８】
【補正対象書類名】明細書
【補正対象項目名】００１４
【補正方法】変更
【補正の内容】
【００１４】
本発明にあっては、外部から二次電池に印加されるべき充電電圧として制御していた第１の充電電圧よりも、変更後の第２充電電圧が低い場合、二次電池の電池電圧を検出し、電池電圧が、変更後の第２充電電圧よりも低いときに、外部から印加されるべき充電電圧を第２充電電圧に下げるように変更する。
つまり、そのときの二次電池の電池電圧が、下げる方向に変更しようとする第２充電電圧よりも更に低いことを確認した場合にのみ、外部から二次電池に印加されるように制御している充電電圧を、実際に下げる方向に変更する。
これにより、充電電圧の変更後に外部の充電手段から二次電池に印加される充電電圧が、二次電池の電池電圧以下となることが防止される。
【手続補正９】
【補正対象書類名】明細書
【補正対象項目名】００１５
【補正方法】変更
【補正の内容】
【００１５】
本発明にあっては、電池電圧が、第２充電電圧より所定電圧以上低い状態が所定時間以上継続する場合、外部から印加されるべき充電電圧を第２充電電圧に下げるように変更する。
つまり、そのときの二次電池の電池電圧が、下げる方向に変更しようとする充電電圧よりも所定電圧以上低いことを、所定時間以上確認し続けることができた場合にのみ、外部から二次電池に印加されるように制御している充電電圧を、実際に下げる方向に変更する。
これにより、例えば、充電電圧を変更する際に二次電池が放電しており、放電が停止することによって二次電池の電圧が上昇する場合であっても、充電電圧の変更後に外部の充電手段から二次電池に印加される充電電圧が、二次電池の電圧以下となることが防止される。
【手続補正１０】
【補正対象書類名】明細書
【補正対象項目名】００１６
【補正方法】変更
【補正の内容】
【００１６】
本発明にあっては、上述の所定電圧が０．１Ｖ以上であるため、上述の所定時間を適当に長くした場合は、充電電圧を変更する際に放電が停止することによって二次電池の電池電圧が上昇したとしても、充電電圧の変更後に外部の充電手段から二次電池に印加される充電電圧が、二次電池の電圧以下となることが確実に防止される。